(57)【要約】【課題】マルチキャスト配信システム、そのユーザ機器及び配信サーバに関し、マルチキャストで配信される有料放送又はコンテンツの不正な視聴を防止し、ユーザは有料放送又はコンテンツ事業者から提供される専用機器を設置することなく、配信サービスを受けることができる放送又はコンテンツの配信を実現する。【解決手段】配信サーバ１から有料放送及びコンテンツをマルチキャストによりユーザ機器に配信するマルチキャスト配信システムにおいて、配信サーバ１は、配信データを配信サービスのチャンネル単位に個別に共通鍵で暗号化してマルチキャスト配信し、ユーザ機器４’から配信サーバ１にＷＥＢブラウザによりアクセスして配信サービスを選択し、該選択した配信サービスの共通鍵を該ユーザ機器４’にＷＥＢページから配信し、該ユーザ機器４’で、マルチキャスト配信された放送又はコンテンツの配信データを、該共通鍵により復号化する。【選択図】      図１
2006254284.tif 000002
【特許請求の範囲】
【請求項１】
配信サーバから有料放送及びコンテンツをマルチキャストによりユーザ機器に配信するマルチキャスト配信システムにおいて、
前記配信サーバは、配信データを配信サービスのチャンネル単位に個別に共通鍵で暗号化してマルチキャスト配信し、
前記ユーザ機器から前記配信サーバにＷＥＢブラウザによりアクセスして配信サービスを選択可能にし、該選択した配信サービスの共通鍵を該ユーザ機器にＷＥＢページから配信し、該ユーザ機器でマルチキャスト配信された配信データを、該共通鍵により復号化することを特徴とするマルチキャスト配信システム。
【請求項２】
前記ユーザ機器から行う配信サービスの選択を、ＨＴＴＰＳ（Hypertext Transfer Protocol Security）のプロトコルによるＳＳＬ（Secure Socket Layer）セッションを配信サーバとの間に確立してから行い、配信サービスの決定後に、配信サーバから該当配信サービスのチャンネルの共通鍵及びマルチキャストアドレスを、ＳＳＬセッションの中でユーザ機器に送信することを特徴とする請求項１に記載のマルチキャスト配信システム。
【請求項３】
前記ユーザ機器は、配信サービスの決定後に、配信サーバとの間にＩＳＡＫＭＰ（Internet Security Association Key Management Protocol）セッションを確立し、該配信サーバから、該当配信サービスのチャンネルの共通鍵及びマルチキャストアドレスをＩＳＡＫＭＰセッションの中でユーザ機器に送信することを特徴とする請求項１に記載のマルチキャスト配信システム。
【請求項４】
前記ユーザ機器は、前記配信サーバから該当配信サービスのチャンネルの共通鍵及びマルチキャストアドレスを受信した後、該当配信サービスに対して、ＩＧＭＰ（Internet Group Management Protocol）又はＭＬＤ（Multicast Listener Discovery）のプロトコルを用いて、配信サーバからの配信データの受信及びその停止を行うことを特徴とする請求項１乃至３の何れかに記載のマルチキャスト配信システム。
【請求項５】
前記ユーザ機器は、配信データの表示終了時に、視聴している配信サービスのチャンネルに対して、ＩＧＭＰ又はＭＬＤのプロトコルにより、視聴している配信サービスのマルチキャスト配信を停止させると共に、該配信サービスのチャンネルを記録しておき、配信データの表示画面の起動時に配信サーバにアクセスし、ＳＳＬ又はＩＳＡＫＭＰのセッションを確立して、配信サーバから該配信サービスのチャンネルの共通鍵を入手し、前回の配信データ表示の終了時の配信サービスのチャンネルに対して、ＩＧＭＰ又はＭＬＤのプロトコルを用いて、前回視聴していた配信サービスのチャンネルからマルチキャスト配信の受信を開始することを特徴とする請求項４に記載のマルチキャスト配信システム。
【請求項６】
前記配信サーバは、定期的に共通鍵の更新を行い、共通鍵の更新時期に、該当ユーザ機器に共通鍵をマルチキャストにより配信して、各ユーザ機器に共通鍵の更新を通知することを特徴とする請求項１乃至５の何れかに記載のマルチキャスト配信システム。
【請求項７】
前記ユーザ機器から、前記配信サーバにＷＥＢブラウザによりアクセス可能にし、ＷＥＢページ上で配信サービスを選択して解除すると共に、該ユーザ機器は、該配信サービスのチャンネルの共通鍵を破棄し、ＩＧＭＰ又はＭＬＤのプロトコルにより、該配信サービスの解除を配信サーバに通知することを特徴とする請求項１乃至６の何れかに記載のマルチキャスト配信システム。
【請求項８】
前記配信サーバは、ＤＲＭ（Digital Rights Management：デジタル著作権管理）の機能を組み合わせて配信サービスのデータをマルチキャスト配信することを特徴とする請求項１乃至７の何れかに記載のマルチキャスト配信システム。
【請求項９】
配信サーバから、マルチキャストにより配信される有料放送及びコンテンツを受信するユーザ機器において、
前記配信サーバにＷＥＢブラウザによりアクセスして配信サービスを選択し、該選択した配信サービスの共通鍵をＷＥＢページから入手し、
前記配信サーバから配信サービスのチャンネル単位に個別に共通鍵で暗号化してマルチキャスト配信された配信データを、前記入手した共通鍵により復号化することを特徴とするマルチキャスト配信システムのユーザ機器。
【請求項１０】
前記配信サーバとの間にＨＴＴＰＳ（Hypertext Transfer Protocol Security）のプロトコルによるＳＳＬ（Secure Socket Layer）セッションを確立して、前記配信サービスの選択を行い、配信サービスの決定後に、該当配信サービスのチャンネルの共通鍵及びマルチキャストアドレスを、ＳＳＬセッションの中で配信サーバから受信することを特徴とする請求項９に記載のマルチキャスト配信システムのユーザ機器。
【請求項１１】
前記配信サービスの決定後に、配信サーバとの間にＩＳＡＫＭＰ（Internet Security Association Key Management Protocol）セッションを確立し、該配信サーバから、該当配信サービスのチャンネルの共通鍵及びマルチキャストアドレスをＩＳＡＫＭＰセッションの中で受信することを特徴とする請求項９に記載のマルチキャスト配信システムのユーザ機器。
【請求項１２】
前記配信サーバから該当配信サービスのチャンネルの共通鍵及びマルチキャストアドレスを受信した後、該当配信サービスに対して、ＩＧＭＰ（Internet Group Management Protocol）又はＭＬＤ（Multicast Listener Discovery）のプロトコルを用いて、配信サーバからの配信データの受信及びその停止を行うことを特徴とする請求項９乃至１１の何れかに記載のマルチキャスト配信システムのユーザ機器。
【請求項１３】
前記配信データの表示終了時に、視聴している配信サービスのチャンネルに対して、ＩＧＭＰ又はＭＬＤのプロトコルにより、視聴している配信サービスのマルチキャスト配信を停止させると共に、該配信サービスのチャンネルを記録しておき、配信データの表示画面の起動時に配信サーバにアクセスし、ＳＳＬ又はＩＳＡＫＭＰのセッションを確立して、配信サーバから該配信サービスのチャンネルの共通鍵を入手し、前回の配信データ表示の終了時の配信サービスのチャンネルに対して、ＩＧＭＰ又はＭＬＤのプロトコルを用いて、前回視聴していた配信サービスのチャンネルからマルチキャスト配信の受信を開始することを特徴とする請求項１２に記載のマルチキャスト配信システムのユーザ機器。
【請求項１４】
有料放送及びコンテンツをマルチキャストによりユーザ機器に配信するマルチキャスト配信システムの配信サーバにおいて、
前記配信サーバは、配信データを配信サービスのチャンネル単位に個別に共通鍵で暗号化してマルチキャスト配信し、
前記ユーザ機器がＷＥＢブラウザによりアクセスして選択した配信サービスの共通鍵を該ユーザ機器に交付し、該共通鍵の更新を定期的に行い、共通鍵の更新時期に、該当ユーザ機器に共通鍵をマルチキャストにより配信することを特徴とするマルチキャスト配信システムの配信サーバ。
【請求項１５】
前記配信サービスのデータを、ＤＲＭ（Digital Rights Management：デジタル著作権管理）の機能を組み合わせてマルチキャスト配信することを特徴とする請求項１４に記載のマルチキャスト配信システムの配信サーバ。
【請求項１６】
前記配信データの暗号化及び復号化に使用する共通鍵を、前記配信サーバとは別に設置した配信サーバ管理機器から配信することを特徴とする請求項１乃至８の何れかに記載のマルチキャスト配信システム。
【発明の詳細な説明】
【技術分野】
【０００１】
本発明は、マルチキャスト配信システム、そのユーザ機器及び配信サーバに関し、特に、ＩＰ（Internet Protocol）ネットワークにおける有料放送又はコンテンツの配信において、暗号化された放送又はコンテンツデータのマルチキャスト配信システム、そのユーザ機器及び配信サーバに関する。
【背景技術】
【０００２】
ＩＰネットワークにおける放送又はコンテンツの配信には、一般的にマルチキャストを利用して行われる。有料放送又はコンテンツの配信も同様にマルチキャストが利用されるが、その場合、放送又はコンテンツのデータを暗号化して配信し、有料放送又はコンテンツの契約者だけが、受信した暗号化データを復号することができる構成とすることにより、契約者のみが有料放送又はコンテンツの配信サービスを受けられるようになっている。
【０００３】
図１０は、従来の有料放送又はコンテンツ配信システムの第１例を示す。同図は、暗号化された任意の有料放送又はコンテンツの配信データを復号するための共通鍵が、予めユーザ機器に与えられている場合の例を示している。図１０において、ユーザ機器（専用機器）４には、配信サーバ１から配信される暗号化されたマルチキャストデータを復号する共通鍵を与えられているものとする。
【０００４】
暗号化された有料放送又はコンテンツデータは、配信サーバ１からルータ機器（エッジルータ）２に対して常時マルチキャスト配信されている（図１０のａ）。まず、ユーザ機器（専用機器）４は、マルチキャスト配信を受信するための受信要求として、ユーザ機器（ＣＰＥ）３に対して、ＩＧＭＰ（Internet Group Management Protocol）やＭＬＤ（Multicast Listener Discovery）等のマルチキャストプロトコルを送信する（図１０のｂ）。
【０００５】
上記の受信要求を受けたユーザ機器（ＣＰＥ）３は、該受信要求をルータ機器（エッジルータ）２に転送し（図１０のｂ）、ルータ機器（エッジルータ）２とユーザ機器（ＣＰＥ）３は、受信要求を送信したユーザ機器（専用機器）４に対して、要求されたマルチキャストデータを配信する（図１０のｃ）。
【０００６】
有料放送又はコンテンツのマルチキャストデータを受信したユーザ機器（専用機器）４は、予め与えられている共通鍵を利用して、有料放送又はコンテンツの暗号データを復号し（図１０のｄ）、ユーザ機器（ＴＶ、ＰＣなど）５に出力することにより（図１０のｆ）、有料放送又はコンテンツの視聴が可能となる。
【０００７】
また、配信の停止は、例えば、有料放送又はコンテンツを受信しているユーザ機器（専用機器）４が、配信の停止要求をユーザ機器（ＣＰＥ）３に送信し（図１０のｇ）、停止要求を受けたユーザ機器（ＣＰＥ）３が、該停止要求をルータ機器（エッジルータ）２に転送することで（図１０のｇ）、ルータ機器（エッジルータ）２は、有料放送又はコンテンツの配信を停止する（図１０のｈ）。
【０００８】
なお、図１０におけるａ〜ｈの符号は下記のとおりである。
ａ：暗号化された有料放送又はコンテンツデータのマルチキャスト配信
ｂ：有料放送又はコンテンツデータの受信要求
ｃ：暗号化された有料放送又はコンテンツデータの配信開始
ｄ：暗号化された有料放送又はコンテンツデータの復号化
ｅ：復号化された有料放送又はコンテンツデータの配信
ｆ：有料放送又はコンテンツデータの表示
ｇ：有料放送又はコンテンツデータの停止要求
ｈ：暗号化された有料放送又はコンテンツデータの配信停止
【０００９】
図１１は、従来の有料放送又はコンテンツ配信システムの第２例を示す。同図は、暗号化された任意の有料放送又はコンテンツデータを復号するための共通鍵を、配信サーバ１とは別に設けられた暗号鍵管理機器１’からユーザ機器が取得して復号する場合の例を示している。
【００１０】
図１１において、暗号化された有料放送又はコンテンツデータは、配信サーバ１からルータ機器（エッジルータ）２に対して、常時、マルチキャスト配信されている（図１１のａ）。ユーザ機器（専用機器）４は、マルチキャスト配信を受信するための受信要求を、ユーザ機器（ＣＰＥ）３に対して、ＩＧＭＰやＭＬＤ等のマルチキャストプロトコルにより送信する（図１１のｂ）。
【００１１】
上記の受信要求を受けたユーザ機器（ＣＰＥ）３は、該受信要求をルータ機器（エッジルータ）２に転送し（図１１のｂ）、ルータ機器（エッジルータ）２とユーザ機器（ＣＰＥ）３は、該受信要求を送信したユーザ機器（専用機器）４に対して、要求されたマルチキャストデータを配信する（図１１のｃ）。
【００１２】
ユーザ機器（専用機器）４は、受信要求を送信する前又は後に、配信サーバ１のネットワーク内に設置される暗号鍵管理機器１’に対して、共通鍵の取得要求を行う（図１１のｄ）。ユーザ機器（専用機器）４からの共通鍵の取得要求を受けた暗号鍵管理機器１’は、ユーザ機器（専用機器）４の受信可能性の認証を行い、認証に成功すれば、共通鍵をユーザ機器（専用機器）４に対して配信する（図１１のｅ）。
【００１３】
有料放送又はコンテンツのマルチキャストデータを受信したユーザ機器（専用機器）４は、暗号鍵管理機器１’から受信した共通鍵を利用して、有料放送又はコンテンツの暗号を復号し（図１１のｆ）、ユーザ機器（ＴＶ、ＰＣなど）５に出力することにより（図１１のｈ）、有料放送又はコンテンツの視聴が可能となる。
【００１４】
配信の停止は、有料放送又はコンテンツを受信しているユーザ機器（専用機器）４が、配信の停止要求をユーザ機器（ＣＰＥ）３に送信し（図１１のｉ）、該停止要求を受けたユーザ機器（ＣＰＥ）３が、ルータ機器（エッジルータ）に該停止要求を転送することで（図１１のｉ）、ルータ機器（エッジルータ）２は、有料放送又はコンテンツの配信を停止する（図１１のｊ）。
【００１５】
なお、図１１におけるａ〜ｊの符号は下記のとおりである。
ａ：暗号化された有料放送又はコンテンツデータのマルチキャスト配信
ｂ：有料放送又はコンテンツデータの受信要求
ｃ：暗号化された有料放送又はコンテンツデータの配信開始
ｄ：暗号化された有料放送又はコンテンツデータの共通鍵取得要求
ｅ：暗号化された有料放送又はコンテンツデータの共通鍵配信開始
ｆ：暗号化された有料放送又はコンテンツデータの復号化
ｇ：復号化された有料放送又はコンテンツデータの配信
ｈ：有料放送又はコンテンツデータの表示
ｉ：有料放送又はコンテンツデータの停止要求
ｊ：暗号化された有料放送又はコンテンツデータの配信停止
【００１６】
本発明に関連する先行技術文献として、下記の特許文献が挙げられる。特許文献１は、ＩＰ等の通信プロトコルを用いたネットワークにおけるコンテンツ配信技術に関し、暗号化されたコンテンツのマルチキャスト配信において不正視聴の抑制を可能にし、かつ復号鍵をマルチキャスト配信することにより、復号鍵の配信に伴う負荷の軽減を図ったコンテンツ配信方法等に関するものが記載されている。また、特許文献２は、暗号化が施されたマルチキャストによるデータ転送が行われるデータ転送システムに関し、鍵情報配送のためのトラフィック量を減少させ、安全性を向上させると共に、受信端末の脱退（受信拒否）に適切に対処するようにしたものが記載されている。
【特許文献１】特開２００３−１７４４４０号公報
【特許文献２】特開２００３−２２９８４４号公報
【発明の開示】
【発明が解決しようとする課題】
【００１７】
前述の図１０の配信システムでは、共通鍵が設定されていないユーザ機器（一般機器）が、マルチキャストデータを受信しても復号することができないため、有料放送又はコンテンツの不正な受信に対するセキュリティを或る程度確保することができる。しかし、図１０の配信システムでは、有料放送又はコンテンツ毎に共通鍵を変更することが困難であり、このため、一度、共通鍵が不特定多数のユーザに流出してしまうと、それらのユーザによる不正な視聴等が可能となるといった問題がある。
【００１８】
また、ユーザが有料放送又はコンテンツ配信を受けるためには、有料放送又はコンテンツ事業者から提供されるユーザ機器（専用機器）４を設置する必要があるため、ユーザが設置するユーザ機器がその専用機器の分増えるという欠点があり、更には、ユーザは有料放送又はコンテンツ事業者と配信サービスを契約しても、有料放送又はコンテンツ事業者から専用機器が配送されてくるまでは、配信サービスを受けることができないという欠点がある。
【００１９】
また、上記図１１の配信システムでも図１０の配信システムと同様に、共通鍵が設定されていないユーザ機器（一般機器）が、マルチキャストデータを受信しても復号することができないため、有料放送又はコンテンツの不正な受信に対するセキュリティを或る程度確保することができる。更には図１０の配信システムと異なり、有料放送又はコンテンツ毎に定期的に共通鍵を変更することが比較的に容易となるため、共通鍵が流出しても不正な視聴を或る程度防止することができる。
【００２０】
しかし、有料放送又はコンテンツの視聴者が多数存在する場合、共通鍵の更新時に、多量の共通鍵取得要求が暗号鍵管理機器１’に集中的に行われるため、負荷分散等の対策を講じないと、暗号鍵管理機器１’が負荷に耐えられず、正常に共通鍵の配信を行うことができなくなるという問題がある。
【００２１】
また、図１１の配信システムでも、ユーザが有料放送又はコンテンツ配信を受けるためには、有料放送又はコンテンツ事業者から提供されるユーザ機器（専用機器）を設置する必要があるため、ユーザが設置するユーザ機器がその専用機器の分増えるという欠点があり、更には、ユーザは有料放送又はコンテンツ事業者と配信サービスを契約しても、有料放送又はコンテンツ事業者から専用機器が配送されてくるまでは、配信サービスを受けることができないという欠点がある。
【００２２】
本発明は、上記問題点や欠点の解消を図り、マルチキャストで配信される有料放送又はコンテンツの不正な視聴を防止し、ユーザは有料放送又はコンテンツ事業者から提供される専用機器を設置することなく、配信サービスを受けることができる放送又はコンテンツの配信の実現を目的とする。
【課題を解決するための手段】
【００２３】
本発明のマルチキャスト配信システムは、（１）配信サーバから有料放送及びコンテンツをマルチキャストによりユーザ機器に配信するマルチキャスト配信システムにおいて、前記配信サーバは、配信データを配信サービスのチャンネル単位に個別に共通鍵で暗号化してマルチキャスト配信し、前記ユーザ機器から前記配信サーバにＷＥＢブラウザによりアクセスして配信サービスを選択可能にし、該選択した配信サービスの共通鍵を該ユーザ機器にＷＥＢページから配信し、該ユーザ機器でマルチキャスト配信された配信データを、該共通鍵により復号化することを特徴とする。
【００２４】
また、（２）前記ユーザ機器から行う配信サービスの選択を、ＨＴＴＰＳ（Hypertext Transfer Protocol Security）のプロトコルによるＳＳＬ（Secure Socket Layer）セッションを配信サーバとの間に確立してから行い、配信サービスの決定後に、配信サーバから該当配信サービスのチャンネルの共通鍵及びマルチキャストアドレスを、ＳＳＬセッションの中でユーザ機器に送信することを特徴とする。
【００２５】
また、（３）前記ユーザ機器は、配信サービスの決定後に、配信サーバとの間にＩＳＡＫＭＰ（Internet Security Association Key Management Protocol）セッションを確立し、該配信サーバから、該当配信サービスのチャンネルの共通鍵及びマルチキャストアドレスをＩＳＡＫＭＰセッションの中でユーザ機器に送信することを特徴とする。
【００２６】
また、（４）前記ユーザ機器は、前記配信サーバから該当配信サービスのチャンネルの共通鍵及びマルチキャストアドレスを受信した後、該当配信サービスに対して、ＩＧＭＰ（Internet Group Management Protocol）又はＭＬＤ（Multicast Listener Discovery）のプロトコルを用いて、配信サーバからの配信データの受信及びその停止を行うことを特徴とする。
【００２７】
また、（５）前記ユーザ機器は、配信データの表示終了時に、視聴している配信サービスのチャンネルに対して、ＩＧＭＰ又はＭＬＤのプロトコルにより、視聴している配信サービスのマルチキャスト配信を停止させると共に、該配信サービスのチャンネルを記録しておき、配信データの表示画面の起動時に配信サーバにアクセスし、ＳＳＬ又はＩＳＡＫＭＰのセッションを確立して、配信サーバから該配信サービスのチャンネルの共通鍵を入手し、前回の配信データ表示の終了時の配信サービスのチャンネルに対して、ＩＧＭＰ又はＭＬＤのプロトコルを用いて、前回視聴していた配信サービスのチャンネルからマルチキャスト配信の受信を開始することを特徴とする。
【００２８】
また、（６）前記配信サーバは、定期的に共通鍵の更新を行い、共通鍵の更新時期に、該当ユーザ機器に共通鍵をマルチキャストにより配信して、各ユーザ機器に共通鍵の更新を通知することを特徴とする。
【００２９】
また、（７）前記ユーザ機器から、前記配信サーバにＷＥＢブラウザによりアクセス可能にし、ＷＥＢページ上で配信サービスを選択して解除すると共に、該ユーザ機器は、該配信サービスのチャンネルの共通鍵を破棄し、ＩＧＭＰ又はＭＬＤのプロトコルにより、該配信サービスの解除を配信サーバに通知することを特徴とする。
【００３０】
また、（８）前記配信サーバは、ＤＲＭ（Digital Rights Management：デジタル著作権管理）の機能を組み合わせて配信サービスのデータをマルチキャスト配信することを特徴とする。
【００３１】
また、本発明のマルチキャスト配信システムのユーザ機器は、（９）配信サーバから、マルチキャストにより配信される有料放送及びコンテンツを受信するユーザ機器において、前記配信サーバにＷＥＢブラウザによりアクセスして配信サービスを選択し、該選択した配信サービスの共通鍵をＷＥＢページから入手し、前記配信サーバから配信サービスのチャンネル単位に個別に共通鍵で暗号化してマルチキャスト配信された配信データを、前記入手した共通鍵により復号化することを特徴とする。
【００３２】
また、（１０）前記配信サーバとの間にＨＴＴＰＳ（Hypertext Transfer Protocol Security）のプロトコルによるＳＳＬ（Secure Socket Layer）セッションを確立して、前記配信サービスの選択を行い、配信サービスの決定後に、該当配信サービスのチャンネルの共通鍵及びマルチキャストアドレスを、ＳＳＬセッションの中で配信サーバから受信することを特徴とする。
【００３３】
また、（１１）前記配信サービスの決定後に、配信サーバとの間にＩＳＡＫＭＰ（Internet Security Association Key Management Protocol）セッションを確立し、該配信サーバから、該当配信サービスのチャンネルの共通鍵及びマルチキャストアドレスをＩＳＡＫＭＰセッションの中で受信することを特徴とする。
【００３４】
また、（１２）前記配信サーバから該当配信サービスのチャンネルの共通鍵及びマルチキャストアドレスを受信した後、該当配信サービスに対して、ＩＧＭＰ（Internet Group Management Protocol）又はＭＬＤ（Multicast Listener Discovery）のプロトコルを用いて、配信サーバからの配信データの受信及びその停止を行うことを特徴とする。
【００３５】
また、（１３）前記配信データの表示終了時に、視聴している配信サービスのチャンネルに対して、ＩＧＭＰ又はＭＬＤのプロトコルにより、視聴している配信サービスのマルチキャスト配信を停止させると共に、該配信サービスのチャンネルを記録しておき、配信データの表示画面の起動時に配信サーバにアクセスし、ＳＳＬ又はＩＳＡＫＭＰのセッションを確立して、配信サーバから該配信サービスのチャンネルの共通鍵を入手し、前回の配信データ表示の終了時の配信サービスのチャンネルに対して、ＩＧＭＰ又はＭＬＤのプロトコルを用いて、前回視聴していた配信サービスのチャンネルからマルチキャスト配信の受信を開始することを特徴とする。
【００３６】
また、本発明のマルチキャスト配信システムの配信サーバは、（１４）有料放送及びコンテンツをマルチキャストによりユーザ機器に配信するマルチキャスト配信システムの配信サーバにおいて、前記配信サーバは、配信データを配信サービスのチャンネル単位に個別に共通鍵で暗号化してマルチキャスト配信し、前記ユーザ機器がＷＥＢブラウザによりアクセスして選択した配信サービスの共通鍵を該ユーザ機器に交付し、該共通鍵の更新を定期的に行い、共通鍵の更新時期に、該当ユーザ機器に共通鍵をマルチキャストにより配信することを特徴とする。
【００３７】
また、（１５）前記配信サービスのデータを、ＤＲＭ（Digital Rights Management：デジタル著作権管理）の機能を組み合わせてマルチキャスト配信することを特徴とする。
【００３８】
また、本発明のマルチキャスト配信システムは、（１６）前記配信データの暗号化及び復号化に使用する共通鍵を、前記配信サーバとは別に設置した配信サーバ管理機器から配信することを特徴とする。
【発明の効果】
【００３９】
本発明の有料放送又はコンテンツのマルチキャスト配信システムは、ユーザ機器からＷＥＢブラウザにより配信サーバにアクセスして配信サービスの契約処理を行い、契約した配信サービスの共通鍵とマルチキャストアドレスを入手して復号化することにより、該当ユーザ機器のみがリアルタイムに該当配信サービスを視聴することができ、該当ユーザ機器以外の機器が受信しても復号不可能となる有料放送又はコンテンツの配信サービスを提供することができる。
【００４０】
このため、有料放送又はコンテンツの配信事業者が指定する特定の専用機器が不要になり、ユーザは有料放送又はコンテンツ配信サービスを契約してから、配信事業者から専用機器が配送されるまで、契約した配信サービスを受けられないといった不便が解消され、配信サービスを契約すれば、すぐに契約した配信サービスの放送又はコンテンツを視聴することが可能となる。
【００４１】
また、ユーザ機器からＷＥＢブラウザにより配信サーバにアクセスして配信サービスの契約処理を行い、契約した配信サービスの共通鍵とマルチキャストアドレスを入手する際に、ＨＴＴＰＳやＩＳＡＫＭＰなどの暗号化プロトコルを用いることにより、情報漏洩に対する安全性を高めることができる。
【００４２】
また、本発明の有料放送又はコンテンツのマルチキャスト配信システムにおいて、暗号化に使用する共通鍵を更新する際に、配信サーバ又は配信サーバ管理機器が、有料放送又はコンテンツ配信と同様に、共通鍵情報をマルチキャスト配信することにより、配信サーバ又は配信サーバ管理機器に負荷をかけることなく、共通鍵の更新を行うことが可能となる。
【００４３】
また、配信データを受信するユーザ機器（ＰＣなど）は、有料放送又はコンテンツ配信を開始する前に、配信サーバ又は配信サーバ管理機器から最新の共通鍵を入手するので、暗号化に使用する共通鍵を定期的に更新することが容易になり、セキュリティを確保することが可能となる。
【００４４】
また、本発明の有料放送又はコンテンツのマルチキャスト配信システムは、配信サーバが配信する有料放送又はコンテンツデータに、コピーワンスなどのＤＲＭ（Digital Rights Management：デジタル著作権管理）の機能を組み合わせることにより、不正コピーや不正使用など、ユーザによる不正行為を防止することができ、有料放送又はコンテンツの配信事業者のポリシーに基づいた配信サービスが可能となる。
【発明を実施するための最良の形態】
【００４５】
本発明の第１の実施形態のマルチキャスト配信システムを図１及び図２を用いてして説明する。図１において、配信サーバ１は、有料放送又はコンテンツデータを保有し、マルチキャスト配信情報及び暗号化情報を管理し、ＷＥＢ（ＨＴＴＰ）サービスを提供する機能を有している。
【００４６】
また、図２において、配信サーバ１は、有料放送又はコンテンツデータと、データを暗号化するための共通鍵を保有し、マルチキャスト配信情報を管理し、配信サーバ管理機器１”は、配信サーバ１情報及び暗号化情報を管理し、ＷＥＢ（ＨＴＴＰ）サービスを提供する機能を有している。
【００４７】
また、図１と図２共に、配信サーバ１は有料放送又はコンテンツデータを暗号化し、常時、マルチキャスト配信を行っている（図１のａ及び図２のａ）。ユーザは、パーソナルコンピュータ（以下、「ＰＣ」という。）などのユーザ機器４’を利用して、配信サーバ１又は配信サーバ管理機器１”にＷＥＢ（ＨＴＴＰ）アクセスを行い、受信したい配信サービスを選択し、契約処理を行い、契約処理完了後に、契約した配信サービスの暗号データを復号するための共通鍵をダウンロードして入手する（図１のｂ，ｇ及び図２のｂ，ｇ）。なお、ＰＣなどのユーザ機器４’は、インターネット通信機能及び画像表示機能を有するユーザ機器であれば、汎用的な他の用途の機器を流用して使用することができる。
【００４８】
契約処理を行い、配信サービスの共通鍵を入手したユーザのＰＣなどのユーザ機器４’は、配信サーバ１からマルチキャスト配信される有料放送又はコンテンツの暗号化データ（図１のｃ，ｈ及び図２のｃ，ｈ）を受信すると、共通鍵により復号化を行い（図１のｄ，ｉ及び図２のｄ，ｉ）、有料放送又はコンテンツをＰＣのディスプレイ又はＴＶなどに表示させる（図１のｆ，ｉ及び図１のｆ，ｉ）。
【００４９】
また、ＨＵＢなどのユーザ機器６を用いた構成において、共通鍵が設定されていないＰＣなどのユーザ機器４”が、上記暗号化データを受信しても、復号化することができず、ＰＣのディスプレイ又はＴＶなどに正常表示することができない（図１のｊ及び図２のｊ）。従って、本発明の第１の実施形態のマルチキャスト配信では、ユーザはＰＣなどのユーザ機器４’が有ればよく、有料放送又はコンテンツ事業者から配送される専用機器が不要となり、配信サービスを契約すると、すぐに配信サービスを受けることが可能となる。
【００５０】
なお、図１及び図２におけるａ〜ｊの符号は下記のとおりである。
ａ：暗号化された有料放送又はコンテンツデータのマルチキャスト配信
ｂ：ＷＥＢアクセスによる有料放送又はコンテンツサービスの契約開始
（有料放送又はコンテンツサービスの選択、契約処理、共通鍵などの入手）
ｃ：契約した有料放送又はコンテンツデータの配信開始
ｄ：受信した有料放送又はコンテンツデータを復号化
ｅ：復号化された有料放送又はマルチキャストデータの配信
ｆ：有料放送又はコンテンツデータの表示
ｇ：ＷＥＢアクセスによる有料放送又はコンテンツサービスの契約開始
（有料放送又はコンテンツサービスの選択、契約処理、共通鍵などの入手）
ｈ：契約した有料放送又はコンテンツデータの配信開始
ｉ：受信した有料放送又はコンテンツデータを復号化して表示
ｊ：受信した有料放送又はマルチキャストデータの復号不可及び正常表示不可
【００５１】
本発明の第２の実施形態におけるマルチキャスト配信システムを、図３及び図４を用いて脱明する。図３において、配信サーバ１は、有料放送又はコンテンツデータを保有し、暗号化情報を管理し、ＷＥＢ（ＨＴＴＰ及びＨＴＴＰＳ）サービスを提供する機能を有している。
【００５２】
図４において、配信サーバ１は、有料放送又はコンテンツデータと、データを暗号化するための共通鍵とを保有し、マルチキャスト配信情報を管理し、配信サーバ管理機器１”は、配信サーバ情報及び暗号化情報を管理し、ＷＥＢ（ＨＴＴＰ及びＨＴＴＰＳ）サービスを提供する機能を有している。
【００５３】
また、図３及び図４において、配信サーバ１は、有料放送又はコンテンツデータを暗号化し、常時マルチキャスト配信を行っている（図３のａ及び図４のａ）。ユーザは、ＰＣなどのユーザ機器４’を利用して、配信サーバ１又は配信サーバ管理機器１”にＷＥＢ（ＨＴＴＰ）アクセスを行い（図３のｂ及び図４のｂ）、ＨＴＴＰＳ（Hypertext Transfer Protocol Security：ＷＥＢサーバとクライアント(ＷＥＢブラウザなど)とがデータを送受信するのに使われるプロトコルであるＨＴＴＰに、ＳＳＬ（Secure Socket Layer）によるデータの暗号化機能を付加したプロトコル）を利用して、受信を希望する配信サービスを選択し、契約処理を行い、契約処理完了後に、契約した配信サービスの暗号データを復号するための共通鍵をダウンロードして入手する（図３のｃ及び図４のｃ）。
【００５４】
以降は第１の実施形態と同様である。従って、本発明の第２の実施形態におけるマルチキャスト配信システムでは、ＨＴＴＰＳを利用して配信サービスの選択、契約処理、共通鍵の入手を行うので、第１の実施形態のマルチキャスト配信に比べて、個人情報の漏洩に対する安全性を高めることができる。
【００５５】
次に、本発明の第３の実施形態について説明する。本発明の第３の実施形態におけるマルチキャスト配信システムは、第２の実施形態のマルチキャスト配信システムとほぼ同様であるが、第３の実施形態のマルチキャスト配信システムでは、ユーザは、ＰＣなどのユーザ機器４’を利用して、配信サーバ１又は配信サーバ管理機器１”にＷＥＢ（ＨＴＴＰ）アクセス後、ＩＳＡＫＭＰ（Internet Security Association Key Management Protocol）セッションを確立して、受信を希望する配信サービスを選択し、契約処理を行い、契約処理完了後に、契約した配信サービスの暗号データを復号するための共通鍵をダウンロードして入手する。従って、本発明の第３の実施形態におけるマルチキャスト配信システムでは、第２の実施形態のマルチキャスト配信システムと同等の安全性を確保することができる。
【００５６】
次に、本発明の第４の実施形態におけるマルチキャスト配信データ受信方式を、図３と図４を用いて説明すると、第１の実施形態から第３の実施形態のマルチキャスト配信システムにおいて、ユーザは、配信サービスの契約処理完了後に、共通鍵と、契約した配信サービスのマルチキャストアドレスとを入手する。
【００５７】
この後、ユーザはＰＣなどのユーザ機器４’から、入手したマルチキャストアドレスに対して、ＩＧＭＰ又はＭＬＤを送信することで（図３のｄ，ｇ及び図４のｄ，ｉ）、配信サーバ１からマルチキャスト配信される、契約した有料放送又はコンテンツの暗号化データの受信（図３のｅ及び図４のｅ）及び受信停止（図５のｈ及び図６のｊ）の制御が可能となる。
【００５８】
次に、本発明の第５の実施形態におけるマルチキャスト配信データ受信方式を、図３と図４を用いて説明すると、第４の実施形態のマルチキャスト配信データ受信方式において、有料放送又はコンテンツサービスを受信しているユーザ機器（ＰＣなど）４’は、有料放送又はコンテンツの配信データ表示の終了操作を検出すると、自動的に視聴している配信チャンネルのマルチキャストアドレスに対して、ＩＧＭＰ又はＭＬＤを送信し（図３のｇ及び図４のｉ）、配信サーバ１からマルチキャスト配信されている有料放送又はコンテンツの配信を停止させる（図３のｈ及び図４のｊ）。
【００５９】
また、上記ユーザ機器（ＰＣなど）４’は、有料放送又はコンテンツの配信データ表示画面の起動操作を検出すると、自動的に配信サーバ１又は配信サーバ管理機器１”とＳＳＬ又はＩＳＡＫＭＰセッションを確立し、契約情報などによる認証手順を行ってから、現在の共通鍵を入手し（図３のｉ及び図４のｋ）、前回の配信データ表示画面の終了時に記録した配信チャンネルに対して、ＩＧＭＰ又はＭＬＤを送信することにより（図３のｊ及び図４のｌ）、前回視聴していた配信チャンネルからマルチキャスト配信を開始させる（図３のｋ及び図４のｍ）。
【００６０】
従って、本発明の第５の実施形態におけるマルチキャスト配信データ受信方式では、ユーザが、有料放送又はコンテンツを視聴する時にのみ、配信データがユーザのホームネットワークに流れ、視聴していないときには、配信データがユーザのホームネットワークに流れないため、ホームネットワークのトラフィックを軽減することが可能となる。
【００６１】
なお、図３におけるａ〜ｒの符号は下記のとおりである。
ａ：暗号化された有料放送又はコンテンツデータのマルチキャスト配信
ｂ：有料放送又はコンテンツサービスの契約開始（配信サーバ１へのＷＥＢアクセス）
ｃ：有料放送又はコンテンツサービスの選択、契約処理、共通鍵などの入手（ＳＳＬセッションを確立）
ｄ：契約した有料放送又はコンテンツデータの受信要求
ｅ：契約した有料放送又はコンテンツデータの配信開始
ｆ：受信した有料放送又はコンテンツデータを復号化して表示
ｇ：契約した有料放送又はコンテンツデータの受信停止要求
ｈ：契約した有料放送又はコンテンツデータの配信停止
ｉ：契約した有料放送又はコンテンツサービスの共通鍵の入手（ＳＳＬセッションを確立）
ｊ：契約した有料放送又はコンテンツデータの受信要求
ｋ：契約した有料放送又はコンテンツデータの配信開始
ｌ：受信した有料放送又はコンテンツデータを復号化
ｍ：復号化された有料放送又はコンテンツデータの配信
ｎ：有料放送又はコンテンツデータの表示
ｏ：有料放送又はコンテンツサービスの解約開始（配信サーバ１へのＷＥＢアクセス）
ｐ：解約する有料放送又はコンテンツサービスの選択及び解約処理（ＳＳＬセッションを確立）
ｑ：解約した有料放送又はコンテンツデータの受信停止要求
ｒ：解約した有料放送又はコンテンツデータの配信停止
【００６２】
また、図４におけるａ〜ｒの符号は下記のとおりである。
ａ：暗号化された有料放送又はコンテンツデータのマルチキャスト配信
ｂ：有料放送又はコンテンツサービスの契約開始（配信サーバ管理機器１”へのＷＥＢアクセス）
ｃ：有料放送又はコンテンツサービスの選択、契約処理、共通鍵などの入手（ＳＳＬセッションを確立）
ｄ：契約した有料放送又はコンテンツデータの受信要求
ｅ：契約した有料放送又はコンテンツデータの配信開始
ｆ：受信した有料放送又はコンテンツデータを復号化
ｇ：復号化された有料放送又はコンテンツデータの配信
ｈ：有料放送又はコンテンツデータの表示
ｉ：契約した有料放送又はコンテンツデータの受信停止要求
ｊ：契約した有料放送又はコンテンツデータの配信停止
ｋ：契約した有料放送又はコンテンツサービスの共通鍵の入手（ＳＳＬセッションを確立）
ｌ：契約した有料放送又はコンテンツデータの受信要求
ｍ：契約した有料放送又はコンテンツデータの配信開始
ｎ：受信した有料放送又はコンテンツデータを復号化して表示
ｏ：有料放送又はコンテンツサービスの解約開始（配信サーバ管理機器１”へのＷＥＢアクセス）
ｐ：解約する有料放送又はコンテンツサービスの選択及び解約処理（ＳＳＬセッションを確立）
ｑ：解約した有料放送又はコンテンツデータの受信停止要求
ｒ：解約した有料放送又はコンテンツデータの配信停止
【００６３】
次に、本発明の第６の実施形態におけるマルチキャスト配信システムを、図７及び図８を用いて説明すると、第１から第５の実施形態のマルチキャスト配信システム及びマルチキャスト配信データ受信方式において、図７では、配信サーバ１は、有料放送又はコンテンツ毎に共通鍵を管理し、定期的に共通鍵の更新を行い、有料放送又はコンテンツのデータを暗号化してマルチキャスト配信する。また、配信サーバ１は、各共通鍵の更新時期に、該当有料放送又はコンテンツのデータの配信と同じマルチキャストアドレスに対して、新しい共通鍵情報を現在の共通鍵で暗号化してマルチキャスト配信する。
【００６４】
図８に示すシステムでは、配信サーバ１は、有料放送又はコンテンツ毎に共通鍵を持ち、有料放送又はコンテンツのデータを暗号化してマルチキャスト配信し、配信サーバ管理機器１”は、配信サーバ１の有料放送又はコンテンツ毎に共通鍵を管理し、定期的に共通鍵の更新を行い、各共通鍵の更新時期に、該当有料放送又はコンテンツのデータの配信と同じマルチキャストアドレスに対して、新しい共通鍵情報を現在の共通鍵で暗号化してマルチキャスト配信し、配信サーバ１に対しても新しい共通鍵情報を通知する。
【００６５】
従って、本発明の第６の実施形態におけるマルチキャスト配信システムは、有料放送又はコンテンツのマルチキャストデータの配信において、ユーザが有料放送又はコンテンツの視聴時でも、配信データを暗号化する共通鍵の更新が可能とるため、定期的に共通鍵を更新することが可能となり、信頼性の高いマルチキャスト配信システムの実現が可能となる。
【００６６】
本発明の第７の実施形態におけるマルチキャスト配信システムを、図３及び図４を用いて説明すると、第１から第６の実施形態のマルチキャスト配信システム及びマルチキャスト配信データ受信方式において、ユーザは、有料放送又はコンテンツ配信サービスを契約した（契約情報や共通鍵などを所持している）ユーザのユーザ機器（ＰＣなど）４’から、配信サーバ１又は配信サーバ管理機器１”にＷＥＢ（ＨＴＴＰ）アクセスを行い（図３のｏ及び図４のｏ）、ＨＴＴＰＳなどを利用して、解約したい配信サービスを選択し、解約処理を行い（図３のｐ及び図４のｐ）、解約処理完了後に、ユーザ機器（ＰＣなど）４’は、自動で解約した配信サービスの暗号データを復号するための共通鍵を破棄し、解約した配信サービスのマルチキャストアドレスに対してＩＧＭＰ又はＭＬＤを送信することで（図３のｑ及び図４のｑ）、解約した有料放送又はコンテンツの配信サーバ１からの配信を停止する（図３のｒ及び図４のｒ）。従って、本発明の第７の実施形態におけるマルチキャスト配信システムでは、有料放送又はコンテンツの配信サービスの解約を、ＷＥＢサービスを利用することで、手軽に行うことが可能となる。
【００６７】
次に、本発明の第８の実施形態におけるマルチキャスト配信システムを、図６を用いて説明すると、第１のから第７の実施形態のマルチキャスト配信システム及びマルチキャスト配信データ受信方式において、配信サーバ１は、配信する有料放送又はコンテンツデータに、コピーワンス等の情報を付与してから配信することで（図６のａ）、ユーザによる有料放送又はコンテンツデータの不正コピーを禁止する（図６のｇ，ｏ）。
【００６８】
従って、本発明の第８の実施形態におけるマルチキャスト配信システムは、有料放送又はコンテンツ配信サービスとＤＲＭ（Digital Rights Management：デジタル著作権管理）技術とを組み合わせることにより、有料放送又はコンテンツ配信事業者は、配信データの著作権保護のポリシーに基づいたサービスが可能となり、例えば、同じコンテンツデータ配信においても、ユーザに対してコピーを１回のみ許可することやコピーをｎ回まで許可するといった複数のサービスが可能となる。
【００６９】
本発明におけるユーザ機器４’は、第１から第８の実施形態のマルチキャスト配信システム及びマルチキャスト配信データ受信方式に対応したユーザ機器であり、また、配信サーバ１及び配信サーバ管理機器１”は、第１から第３の実施形態、第６から第８の実施形態のマルチキャスト配信システムに対応した配信サーバ１及び配信サーバ管理機器１”である。従って、これらの機器により、本発明である有料放送又はコンテンツにおけるマルチキャスト配信システムの実現が可能となる。
【実施例１】
【００７０】
以下、図を用いて本発明の実施例について説明する。なお、本実施例の説明は一つの例示であり、本発明の構成は以下の実施例に限定されない。図３は本発明の有料放送又はコンテンツにおけるマルチキャスト配信システムにおけるネットワーク構成の第１の例であり、図７はその配信サービスの契約から解約までの一連のシーケンス例である。
【００７１】
配信サーバ１は、暗号化された有料放送又はコンテンツデータを、常時、マルチキャスト配信しており、データ毎の暗号化に使用する共通鍵情報を定期的にマルチキャスト配信している。ユーザは、ＰＣなどのユーザ機器４’から配信サーバ１にＷＥＢアクセスすることで、配信サーバ１が提供している配信サービスを閲覧することができ、視聴したいサービスを選択し、ＨＴＴＰＳにより該当サービスの契約処理を行う。
【００７２】
契約処理が完了すると、配信サーバ１は確立しているＨＴＴＰＳのプロトコルによるセッションを利用してユーザに該当サービスの共通鍵情報とマルチキャストアドレスとを通知する。ＰＣなどのユーザ機器４’は、該当サービスの共通鍵情報とマルチキャストアドレスとを入手すると、契約した任意の配信チャンネルに対して、ＩＧＭＰ又はＭＬＤを送信することで、契約した配信サービスを受信できるようになり、共通鍵を使用して配信データを復号化する。
【００７３】
このようにしてユーザは、契約した配信サービスを視聴することが可能となる。また、ユーザは、視聴を終了する場合、視聴画面の表示を終了させる操作を行うと、ＰＣなどのユーザ機器４’が、視聴している配信チャンネルに対して、ＩＧＭＰ又はＭＬＤを送信することで、マルチキャスト配信を停止させ、視聴しない時はユーザのホームネットワークに配信データを流さないようにすることで、トラフィックを軽減することが可能となる。
【００７４】
更に、ユーザは、契約した配信サービスを再び視聴する場合、視聴画面を起動すると、ＰＣなどのユーザ機器４’が自動で配信サーバ１とＳＳＬセッションを確立し、契約情報などのユーザ認証完了後、現在の共通鍵情報を入手し、前回の配信データ表示画面の終了時に記録された配信チャンネルに対して、ＩＧＭＰ又はＭＬＤを送信し、契約した配信サービスを再受信するようになり、新しく入手した共通鍵で配信データを復号化する。このようにして、ユーザは、契約した配信サービスを再視聴することが可能となる。
【００７５】
また、ユーザは契約した配信サービスを解約する場合、ＰＣなどのユーザ機器４’から配信サーバ１にＷＥＢアクセスすることで、配信サーバ１が提供している配信サービスを閲覧し、解約したいサービスを選択し、ＨＴＴＰＳにより該当サービスの解約処理を行う。解約処理が完了すると、ＰＣなどのユーザ機器４’は、保持している共通鍵情報を破棄し、ＩＧＭＰ又はＭＬＤを送信することで、解約した配信サービスを配信停止することができる。
【実施例２】
【００７６】
次に、図４は本発明の有料放送又はコンテンツにおけるマルチキャスト配信システムにおけるネットワーク構成の第２の例であり、図８は、その配信サービスの契約から解約までの一連のシーケンス例である。配信サーバ１は、暗号化された有料放送又はコンテンツデータを、常時、マルチキャスト配信しており、配信サーバ管理機器１”は、配信サーバ１の管理を行い、データ毎の暗号化に使用する共通鍵情報を定期的にマルチキャスト配信し、契約ユーザの管理を行っている。本構成の場合、ユーザは、配信サーバ管理機器１”にアクセスすることで、上記図３及び図７で説明した動作と同様のことを実現することができる。
【実施例３】
【００７７】
また、図６は本発明の有料放送又はコンテンツにおけるマルチキャスト配信システムにおけるネットワーク構成の第３の例である。本構成の場合、前述の図３と図７、図４と図８で説明した動作と同様のことを実現するのに加え、有料放送又はコンテンツ事業者の著作権保護のポリシーに基づき、配信サービスによって有料放送又はコンテンツデータにコピーワンス等の情報を付与するなどのＤＲＭ技術を組み合わせてから有料放送又はコンテンツデータを配信することで、ユーザによる不正コピーを禁止し、契約したサービスにより１回までのコピー許可やｎ回までのコピー許可といったコピー制限を実現することができる。
【００７８】
更に、以上の実施例全てにおいて、図５の有料放送又はコンテンツにおけるマルチキャスト配信システムのネットワーク構成の例と、図９の有料放送又はコンテンツにおけるマルチキャスト配信のシーケンス例に示したように、配信サービスを契約していないＰＣなどのユーザ機器４’が配信データを受信しても、共通鍵を持たないので復号化できず、契約者以外は視聴できない。
【００７９】
なお、図５におけるａ〜ｑの符号は下記のとおりである。
ａ：暗号化された有料放送又はコンテンツデータのマルチキャスト配信
ｂ：有料放送又はコンテンツサービスの契約開始（配信サーバ１へのＷＥＢアクセス）
ｃ：有料放送又はコンテンツサービスの選択、契約処理、共通鍵などの入手（ＳＳＬセッションを確立）
ｄ：契約した有料放送又はコンテンツデータの受信要求
ｅ：契約した有料放送又はコンテンツデータの配信開始
ｆ：受信した有料放送又はコンテンツデータを復号化して表示
ｇ：受信した有料放送又はコンテンツデータの復号不可
ｈ：暗号化されたままの有料放送又はコンテンツデータの配信
ｉ：有料放送又はコンテンツデータの正常表示不可
ｊ：有料放送又はコンテンツサービスの契約開始（配信サーバ１へのＷＥＢアクセス）
ｋ：有料放送又はコンテンツサービスの選択、契約処理、共通鍵などの入手（ＳＳＬセッションを確立）
ｌ：契約した有料放送又はコンテンツデータの受信要求
ｍ：契約した有料放送又はコンテンツデータの配信開始
ｎ：受信した有料放送又はコンテンツデータを復号化
ｏ：復号化された有料放送又はマルチキャストデータの配信
ｐ：有料放送又はコンテンツデータの表示
ｑ：受信した有料放送又はマルチキャストデータの復号不可及び正常表示不可
【００８０】
また、図６におけるａ〜ｐの符号は下記のとおりである。
ａ：暗号化されたコピー制御情報を含む有料放送又はコンテンツデータのマルチキャスト配信
ｂ：有料放送又はコンテンツサービスの契約開始（配信サーバ１へのＷＥＢアクセス）
ｃ：有料放送又はコンテンツサービスの選択（コピー不可のサービスを選択）、契約処理、共通鍵などの入手（ＳＳＬセッションを確立）
ｄ：契約した有料放送又はコンテンツデータの受信要求
ｅ：契約した有料放送又はコンテンツデータの配信開始
ｆ：受信した有料放送又はコンテンツデータを復号化して表示
ｇ：復号した有料放送又はコンテンツデータのコピー不可
ｈ：有料放送又はコンテンツサービスの契約開始（配信サ−バへのＷＥＢアクセス）
ｉ：有料放送又はコンテンツサービスの選択（コピーｎ回可能のサービスを選択）、契約処理、共通鍵などの入手（ＳＳＬセッションを確立）
ｊ：契約した有料放送又はコンテンツデータの受信要求
ｋ：契約した有料放送又はコンテンツデータの配信開始
ｌ：受信した有料放送又はコンテンツデータを復号化
ｍ：復号化された有料放送又はマルチキャストテ−タの配信
ｎ：有料放送又はコンテンツデータの表示
ｏ：復号した有料放送又はコンテンツデータのコピー
ｐ：コピーした有料放送又はコンテンツデータの表示
【図面の簡単な説明】
【００８１】
【図１】本発明の第１の実施形態のマルチキャスト配信システムの説明図である。
【図２】本発明の第１の実施形態のマルチキャスト配信システムの説明図である。
【図３】本発明の第２、第３、第４、第５、第７の実施形態及び実施例１のマルチキャスト配信システムの説明図である。
【図４】本発明の第２、第３、第４、第５、第７の実施形態及び実施例２のマルチキャスト配信システムの説明図である。
【図５】本発明による契約者以外が視聴できないマルチキャスト配信システムの説明図である。
【図６】本発明の第８の実施形態及び実施例３のマルチキャスト配信システムの説明図である。
【図７】本発明の第６の実施形態及び実施例１のマルチキャスト配信のシーケンス図である。
【図８】本発明の第６の実施形態及び実施例２のマルチキャスト配信のシーケンス図である。
【図９】本発明による契約者以外が視聴できないマルチキャスト配信のシーケンス図である。
【図１０】従来の有料放送又はコンテンツ配信システムの第１例を示す図である。
【図１１】従来の有料放送又はコンテンツ配信システムの第２例を示す図である。
【符号の説明】
【００８２】
１  配信サーバ
１’  暗号鍵管理機器
１”  配信サーバ管理機器
２  ルータ機器（エッジルータ）
３  ユーザ機器（ＣＰＥ）
４  ユーザ機器（専用機器）
４’，４”  ユーザ機器（ＰＣなど）
５  ユーザ機器（ＴＶなど）
６  ユーザ機器（ＨＵＢなど）
【図１】
2006254284.tif 000003
【図２】
2006254284.tif 000004
【図３】
2006254284.tif 000005
【図４】
2006254284.tif 000006
【図５】
2006254284.tif 000007
【図６】
2006254284.tif 000008
【図７】
2006254284.tif 000009
【図８】
2006254284.tif 000010
【図９】
2006254284.tif 000011
【図１０】
2006254284.tif 000012
【図１１】
2006254284.tif 000013